(57)【要約】【課題】バッテリカバーを半開位置に支持して日常の保守、点検を手軽にできるようにしたバッテリフォークリフトの提供を目的とする。【解決手段】バッテリを収納するバッテリケース９の片側に配置した支点軸１１を中心に、バッテリケース９の上面を覆う全閉位置と、この全閉位置から立ち上げた全開位置とにわたって開閉されるバッテリカバー１２にストッパ２１の一端部を回転可能に支持し、ストッパ２１を付勢手段２３でその他端部がバッテリカバー９に設けた受け面２４に直角に当接する位置に付勢する。バッテリカバー１２を半開位置以上に開いた後、バッテリカバー１２を半開位置に戻すとストッパ２１が受け面２４に直角に受け止められてバッテリカバー１２が半開位置に牽制される。【選択図】　図１
2004043125.tif 000002
【特許請求の範囲】
【請求項１】
バッテリを収納するバッテリケースと、該バッテリケースの片側に配置した支点軸を中心に、バッテリケースの上面を覆う閉位置と、この閉位置から立ち上げた全開位置とにわたって開閉されるバッテリカバーとを備えるバッテリフォークリフトにおいて、
一端部が前記バッテリケース又はバッテリカバーの何れか一方に回転可能に支持されたストッパと、前記バッテリケース又はバッテリカバーの何れか他方に設けられ、前記ストッパの他端部を受止める受け面と、前記ストッパを該ストッパの他端が前記受け面に対して所定の角度で当接する位置に付勢する付勢手段とを備えることを特徴とするバッテリフォークリフト。
【請求項２】
前記付勢手段が前記受け面に対して直角になる位置に前記ストッパを付勢することを特徴とするバッテリフォークリフト。
【請求項３】
前記ストッパを前記受け面に対して所定の角度になる位置に牽制する牽制手段が設けられていることを特徴とする請求項１又は２に記載のバッテリフォークリフト。
【発明の詳細な説明】
【０００１】
【発明の属する技術分野】
本発明は、駆動エネルギ源としてのバッテリを搭載しているバッテリフォークリフトに関する。
【０００２】
【従来の技術】
図６の側面図に示すように、バッテリを収納するバッテリケース１０１と、このバッテリケース１０１の片側、例えば後側に配置した支点軸１０２を中心として、バッテリケース１０１の上面を覆う閉位置と、この閉位置から立ち上げた全開位置とにわたって開閉されるバッテリカバー１０３とを備えるバッテリフォークリフトが広く普及している。
【０００３】
この種のバッテリフォークリフトにおいては、バッテリケース１０１とバッテリカバー１０３の間にいわゆるガススプリング１０４を架着して、開閉を容易にすると共に、バッテリカバー１０３を全開位置にロックできるようにしている。
【０００４】
又、バッテリカバーを全閉した時には、バッテリカバー１０３は、後端の支点軸１０２上の左右２点で支持されると共に、バッテリカバー１０３の前端部の左右２点でバッテリカバーをバッテリケース１０１に防振支持され、この間のバッテリケース１０１とバッテリカバー１０３との間には適当な間隔を置いて、バッテリカバー１０３とバッテリケース１０１が干渉することを防止すると共に、バッテリケース１０１内の空間が周囲の大気中に連通されるようにしている。
【０００５】
【発明が解決しようとする課題】
ところで、この種のバッテリフォークリフトにおいて、バッテリカバー１０３の全開位置はバッテリ交換が可能な開放空間をバッテリケース１０１の上に確保できる位置に設定されている。
【０００６】
バッテリケース１０１内にバッテリを収納したまま行う日常的な保守作業や点検作業、例えばバッテリの点検、バッテリ液の補充、バッテリ液の比重調整のための補水、充電などの作業は、バッテリカバー１０３を全開しなくても行えるが、バッテリカバー１０３を半開位置に保持することができないので、これらの日常的な保守作業や点検作業を行う場合にもバッテリカバー１０３を全開位置まで開いているのが実情であり、ユーザに余分な作業が求められている。
【０００７】
本発明はこの従来技術の課題を解消し、バッテリカバーを日常の保守、点検作業に必要とされる程度の半開位置に保持できるようにしたバッテリフォークリフトを提供することを目的とする。
【０００８】
【課題を解決するための手段】
この目的を達成するため、本発明に係るバッテリフォークリフトは、バッテリを収納するバッテリケースと、該バッテリケースの片側に配置した支点軸を中心に、バッテリケースの上面を覆う閉位置と、この閉位置から立ち上げた全開位置とにわたって開閉されるバッテリカバーとを備えるバッテリフォークリフトにおいて、一端部が前記バッテリケース又はバッテリカバーの何れか一方に回転可能に支持されたストッパと、前記バッテリケース又はバッテリカバーの何れか他方に設けられ、前記ストッパの他端部を受止める受け面と、前記ストッパを該ストッパの他端が前記受け面に対して所定の角度で当接する位置に付勢する付勢手段とを備えることを特徴とするという技術的手段を採用する。
【０００９】
これによれば、バッテリカバーを閉じた状態では、バッテリカバーの重量が前記付勢手段の付勢力に打ち勝って前記ストッパがバッテリカバーとバッテリケースとの間に寝かされた状態になり、バッテリカバーを開くに連れて付勢手段によりストッパの受け面に対する傾斜角度が次第に大きくなる。
【００１０】
そして、ストッパの他端が受け面に対して所定の角度で接する位置に回転すると、前記付勢手段の付勢力がなくなり、更に大きくバッテリカバーを開いても、ストッパの一端部を回転可能に支持するバッテリカバー又はバッテリケースに対するストッパの角度は一定に保持される。
【００１１】
従って、バッテリカバーをストッパの他端が受け面に対して所定の角度で接する位置よりも大きく開いてからその位置に戻した時に、ストッパの他端が受け面に対して所定の角度で接することになる。
【００１２】
このストッパが受け面に所定の角度で接するときのバッテリカバーの位置が半開位置であり、これよりもバッテリカバー大きく開いた後、バッテリカバーを半開位置に閉じると、ストッパの他端が受け面に対して所定の角度で接する状態が再現され、ストッパの下端部をその位置に保持することによりバッテリカバーが半開位置に保持される。
【００１３】
本発明において、ストッパの他端を受け面に対して所定の角度で接する位置に保持する方法としては、前記所定の角度を直角に設定する方法と、バッテリカバーの重量によりストッパの下端が支点軸側又はその反対側に移動することを牽制する牽制手段を設ける方法と、これらの方法を併用する方法とがあり、前記所定の角度を直角に設定する方法によれば、バッテリカバーの重量から受け面に沿う方向の分力が生じることがないのでストッパの他端部がその位置に保持され、バッテリカバーが半開位置に保持される。
【００１４】
前記処置の角度が直角以外の角度である場合には、バッテリカバーの重量から受け面に沿う方向の分力が生じるので、この分力によりストッパの他端部が受け面に沿って滑動することを牽制するため、前記支点軸側又はその反対側からストッパの他端部をストッパが受け面に対して所定の角度で接する位置に受止める牽制手段が必要になる。
【００１５】
ここで、牽制手段がストッパを牽制する位置は、ストッパが受け面に対して直角になる位置であっても、ストッパが受け面に対して直角よりも鋭く傾斜する位置であっても、ストッパが受け面に対して直角を超えて傾斜する位置であってもよい。
【００１６】
ストッパが受け面に対して直角よりも鋭く傾斜する位置でストッパを牽制する場合には、支点軸側からストッパを牽制し、又、ストッパが受け面に対して直角を超えて傾斜する位置でストッパを牽制する場合には、支点軸の反対側からストッパを牽制し、更に、ストッパを受け面に対して直角になる位置で牽制する場合には、支点軸側とその反対側との両方からストッパを牽制すればよい。
【００１７】
この牽制手段はストッパを一端部、即ち、バッテリカバー又はバッテリケースに回転可能に支持されている端部を牽制するものであっても、他端部、即ち、受け面に受止められている端部を牽制するものであっても、ストッパの中間部を牽制するものであってもよい。
【００１８】
ところで、本発明のストッパは、バッテリカバーを所定の半開位置に保持するために適当な長さを備えると共に、バッテリカバーの重量により座屈しない程度の曲げ剛性を備えることが必要である。しかし、その断面形状は、特に限定されず、例えば円形、楕円形、３角形以上の多角形など任意の形状を採用することができる。
【００１９】
又、ストッパの材質は特に限定されず、例えば鉄、ステンレス鋼を含む鋼、リン青銅合金、チタン合金などの金属、ＦＲＰを含む合成樹脂などを採用すればよい。
【００２０】
前記ストッパの一端部をバッテリカバー又はバッテリケースに回転可能に支持する構造は特に限定されず、例えばヒンジを用いる構造、バッテリカバーの裏面に設けたアイプレート又はバッテリケースに形成したアイホールにストッパの端部に形成したピンを差込む構造、バッテリカバーの裏側又はバッテリカバーの側面に支持させたピンをストッパの一端部に形成したアイホールに差込む構造などを採用すればよい。
【００２１】
前記ストッパの他端部は、付勢手段によりバッテリケース又はバッテリカバーに押圧されながらバッテリカバーの開閉に伴ってバッテリケース又はバッテリカバーに沿って滑動ないし摺動する。
【００２２】
そこで、本発明においては、この滑動ないし摺動を円滑にすると共に、開閉に伴う騒音を減少させ、又、ストッパの他端部及びバッテリケース又はバッテリカバーの摩耗を防止することが好ましく、このために、例えば、ストッパの他端部にバッテリケース又はバッテリカバーに転接するローラを支持させたり、合成樹脂、金属などからなるシューをストッパの他端部に履かせたり、例えば合成樹脂、金属からなる擦り板を受け面に添着したりすることが好ましい。
【００２３】
前記付勢手段は、一端がバッテリカバー又はバッテリケースに枢着された前記ストッパをバッテリカバーに沿って寝かせた状態からバッテリカバーに対する俯角が大きくなる方向に付勢する手段を言い、例えば捩りコイルバネ、引張りコイルバネ、圧縮コイルバネなどのバネやいわゆるガススプリングをその例として挙げることができる他、例えばストッパがバッテリカバーに回転自在に支持される場合にはストッパやこれに付設した錘などの自重も含まれる。
【００２４】
【発明の実施の形態】
本発明の一実施例に係るバッテリフォークリフトを図面に基づいて具体的に説明すれば、以下の通りである。
【００２５】
図２は本発明の一実施例に係るバッテリフォークリフトの側面図であり、このバッテリフォークリフトは、４輪の車輪１で地面又は床面に支持されるフレーム２を備え、このフレーム２の前部にティルト可能なマスト３を支持させ、又、このマスト３にリフトブラケット４を昇降可能に支持させ、更に、このリフトブラケット４に左右方向、即ち、車体幅方向に摺動可能にフォーク５を支持させている。
【００２６】
マスト３をティルトさせるティルトシリンダ６、リフトブラケット４を昇降させるリフトシリンダ７は油圧シリンダからなり、これらのシリンダに圧油を供給する油ポンプを駆動するモータや車体を走行させる走行モータに電力を供給するバッテリは、前記フレーム２の後部上に搭載されたバッテリケース９に収納される。
【００２７】
前記フレーム２の後端部にはカウンタウェイト１０が搭載され、このカウンタウェイト１０上に配置した左右の支点軸１１を中心にしてバッテリカバー１２が左右軸心周りに回転可能に支持されている。
【００２８】
このバッテリカバー１２はバッテリケース９の開放された上面を開閉するために設けられたものであり、バッテリケース９の上側に横たわる閉位置ではその前端部の左右両側部がバッテリケース９の前縁部に緩衝材を介して受止められ、尾錠１３によりバッテリケース９の前面を覆うセンターカバー１４に固定される。
【００２９】
そして、このバッテリカバー１２の前部上に固定された座席１５にオペレータが前向きに座り、運転台１６に設けたハンドル１７、レバー１８、ペダル、スィッチなどを操作する。
【００３０】
前記バッテリカバー１２を全開位置まで広げると、このバッテリカバー１２とバッテリケース９との間に架着したガススプリング１９によりバッテリカバー１２が全開位置にロックされ、このロックを解除することによりバッテリカバー１２を閉じるようにしている。
【００３１】
図１は前記バッテリケース９及びバッテリカバー１２の部分の側面図であり、この図１に示すように、このバッテリカバー１２の左右いずれか一方の側縁部にはヒンジ２０を介して板状のストッパ２１の一端部が左右軸心周りに回転可能に連結され、このヒンジ２０のヒンジピンからなる支点軸１１に巻付けた弦巻コイルバネからなる付勢手段２３によりそのストッパ２１の他端部をバッテリケース９の上縁面からなる受け面２４に押圧するようにしている。
【００３２】
前記ストッパ２１の他端部には、必要に応じて、ストッパ２１と受け面２４との摩擦音を減少させると共に、ストッパ２１及び受け面２４の摩耗を防止するために、表面滑性に優れた合成樹脂、含油メタル、ドライメタルなどからなるシュー２５を履かせている。
【００３３】
このシュー２５を含めた前記ストッパ２１の長さは、例えばバッテリカバー１２を全閉位置から３０°開いた時に受け面２４に対して直角に当接する長さに設定され、前記付勢手段２３はストッパ２１が受け面２４に対して直角になる位置にストッパ２１を付勢するように形成されている。
【００３４】
さて、バッテリカバー１２を全閉位置に位置させた状態では、前記ストッパ２１はバッテリカバー１２とバッテリケース９との間に寝かされた状態になり、バッテリカバー１２を開き始めると、前記付勢手段２２の付勢力によりストッパ２１が付勢されてストッパ２１の受け面２４に対する角度が増大し、バッテリカバー１２が３０°開かれると、ストッパ２１がバッテリケース９に設けた受け面２４に対して直角になると共に、前記付勢手段２２の付勢力が０になり、ストッパ２１がその位置に保持される。
【００３５】
更に大きくバッテリカバー１２を開くと、バッテリカバー１２に対してストッパ２１が受け面２４に対して直角になる時の角度を保持したまま受け面２４から浮き上がることになる。
【００３６】
従って、バッテリカバー１２を３０°よりも大きく開いた後、バッテリカバー１２の開度を３０°に戻すと、ストッパ２１が受け面２４に直角に受止められ、バッテリカバー１２をその開度に牽制することになる。
【００３７】
３０°以上に開かれたバッテリカバー１２を３０°に閉じる作業は、バッテリカバー１２の先端部ないし中間部に手を添えて行うことが好ましいが、この時に手を滑らせてもバッテリカバー１２が３０°に閉じられるとバッテリカバー１２がストッパ２１に牽制されてそれ以上閉じることはないので、バッテリケース９とバッテリカバー１２との間に手を挟まれるおそれはない。
【００３８】
このようにして、バッテリカバー１２を半開位置に牽制できるように構成すれば、日常の点検作業や、保守作業を行う時にバッテリカバー１２を半開にして手軽に、かつ、安全に行うことができる。
【００３９】
なお、この実施例によれば、ストッパ２１の長さ及び／又は取付け位置を変更することにより、半開の角度を任意に設定変更することができる。
【００４０】
又、この半開状態で、バッテリカバー１２の先端部ないし中間部を片手で持ちながらもう一方の手でストッパ２１の下部を受け面２４に沿って例えばヒンジ２０側に滑らせると、ストッパ２１に傾きができるので、バッテリカバー１２及び運転座席１５の重量でバッテリカバー１２が全閉位置に閉じられる。
【００４１】
もっとも、この半開状態で、バッテリカバー１２の先端部ないし中間部を片手で持ちながらもう一方の手でストッパ２１の下部を受け面２４に沿って例えば支点軸１１と反対側に滑らせても、ストッパ２１に傾きができるので、バッテリカバー１２及び運転座席１５の重量でバッテリカバー１２が全閉位置に閉じられる。
【００４２】
もっとも、閉蓋時の打撃音を軽減するため、全閉位置の近くまでは片手でバッテリカバー１２を持ち続けながらバッテリカバー１２を閉じ、全閉位置の近くになってからバッテリカバー１２を手放すことが好ましい。又、もう一方の手は、バッテリカバー２１とバッテリケース９、バッテリケース９の側面を覆うサイドカバー、センターカバー１４などとの間に手を挟まないように、ストッパ２１の受け面２４に対する傾斜角度が直角よりも小さくなった後、又は、ストッパ２１の受け面２４に対する傾斜角度が直角よりも大きくなった後の適当な時期にストッパ２１から放すことが好ましい。
【００４３】
なお、バッテリカバー１２を全閉する時にストッパ２１の下端部を支点軸１１側に傾けるか、その反対側に傾けるかは設計上の都合により決定される。
【００４４】
又、この実施例では、バッテリカバー１２が３０°開いた位置を半開位置にしているが、ストッパ２１の長さを変更したり、ヒンジ２０の位置を変更したり、ストッパ２１の長さ及びヒンジ２０の位置を変更したりすることにより、簡単にこの半開位置をこれよりも大きく開いた位置に設定したり、これよりも小さく開いた位置に設定したりすることができる。
【００４５】
ただし、この半開位置は、バッテリカバー１２とバッテリケース９の間に日常の保守作業や点検作業に必要、かつ、最小限な空間よりも大きい空間が確保できる程度にバッテリカバー１２が開かれる位置であることが必要である。
【００４６】
図３は本発明の他の実施例に係るバッテリフォークリフトの要部の側面図であり、この図３に示す実施例では、前例のストッパ２１をこれが受け面２４に直角に受止められる位置に牽制する牽制手段２６を備えるものであり、その他の構成は前例と同様に構成される。
【００４７】
この牽制手段２６は、受け面２４に固定される例えば合成樹脂からなり、その上面から凹入させた牽制溝２７を備え、この牽制溝２７にシュー２５を被せたストッパ２１の下部を嵌め込むことにより、ストッパ２１が受け面２４に直角に当接する位置に牽制される。
【００４８】
なお、この牽制溝２７は上方から下がってくるストッパ２１の下端部が確実に入り込むようにするため、上部を上広がりのベルマウス形に形成している。
【００４９】
この実施例によれば、半開状態のバッテリカバー１２を閉じる際には、片手でバッテリカバー１２を３０°から少し大きく開き、ストッパ２１の下端部を牽制溝２７から脱出させた後、もう一方の手でストッパ２１の下端部を牽制溝２７から支点軸１１側又はその反対側に外れる位置に保持してからバッテリカバー１２を閉じる。ストッパ２１の下端部が牽制溝２７に戻るおそれがなくなった時点でストッパ２１を手放すと、付勢手段２３の付勢力にバッテリカバー１２及び運転座席１５の重量が打ち勝ち、ストッパ２１が寝かされると共に、バッテリカバー１２が全閉位置まで移動する。
【００５０】
この実施例のその他の作用や効果は前例と同様である。
【００５１】
図４は、本発明の又他の実施例に係るバッテリフォークリフトの要部の側面図であり、このバッテリフォークリフトでは、ストッパ２１がバッテリケース９に設けた受け面２４に対して１００°になる位置で前記付勢手段２２の付勢力が０になり、ストッパ２１がその位置に保持される。
【００５２】
従って、バッテリカバー１２を例えば３０°よりも大きく開くと、バッテリカバー１２に対してストッパ２１が受け面２４に対して１００°になる時の角度を保持したまま受け面２４から浮き上がることになり、この後バッテリカバー１２を３０°まで閉じると、ストッパ２１が受け面２４に対して１００°の角度で突き当たり、バッテリカバー１２及び運転座席１５の重量によりバッテリカバー１２が閉じる方向に付勢される。
【００５３】
この付勢力によりストッパ２１の下端部は受け面２４に沿って支点軸１１から遠ざかる方向に付勢されるが、受け面２４に固定された突起物からなる牽制手段２６にこのストッパ２１の下端部を支点軸１１と反対側から受止めることにより、バッテリカバー２１の開度が３０°に牽制される。
【００５４】
バッテリカバー１２を閉じる時は、バッテリカバー１２を片手で一旦３０°よりも大きく開き、もう一方の手でストッパ２１の下端部をストッパ２１が受け面２４に対して直角よりも小さい角度になるまで支点軸１１側に移動させた状態でバッテリカバー２１を３０°以下に閉じると、バッテリカバー１２及び運転座席１５の重量によりストッパ２１が支点軸１１側に寝かされ、バッテリカバー１２が閉じられる。
【００５５】
もっとも、バッテリカバー１２を片手で一旦３０°よりも大きく開き、もう一方の手でストッパ２１の下端部を牽制手段２６に乗り上げる位置以上に支点軸１１と反対側に移動させ、この状態でバッテリカバー２１を３０°以下に閉じると、バッテリカバー１２及び運転座席１５の重量によりストッパ２１が牽制手段２６よりも支点軸１１と反対側に寝かされ、バッテリカバー１２が閉じられる。
【００５６】
なお、前記牽制手段２６は、ストッパ２１の下端部を支点軸１１ヒンジ２０と反対側から受止める牽制面２８を備えていればよいが、前例に示すように牽制溝２７を備えるものであってもよい。
【００５７】
又、ストッパ２１を牽制する位置はこれが受け面２４に対して１００°傾斜して接する位置に限らず、他の鈍角に傾斜して接する位置でもよい。
【００５８】
この実施例のその他の構成、作用及び効果は前記各実施例のそれらと同様である。
【００５９】
図５は、本発明の又他の実施例に係るバッテリフォークリフトの要部の側面図であり、このバッテリフォークリフトでは、ストッパ２１がバッテリケース９に設けた受け面２４に対して８０°になる位置で前記付勢手段２２の付勢力が０になり、ストッパ２１がその位置に保持される。
【００６０】
従って、バッテリカバー１２を例えば３０°よりも大きく開くと、バッテリカバー１２に対してストッパ２１が受け面２４に対して８０°になる時の角度を保持したまま受け面２４から浮き上がることになり、この後バッテリカバー１２を３０°まで閉じると、ストッパ２１が受け面２４に対して８０°の角度で突き当たり、バッテリカバー１２及び運転座席１５の重量によりバッテリカバー１２が閉じる方向に付勢される。
【００６１】
この付勢力によりストッパ２１の下端部は受け面２４に沿ってヒンジ２０に近付く方向に付勢されるが、受け面２４に固定された突起物からなる牽制手段２６にこのストッパ２１の下端部をヒンジ２０側から受止めることにより、バッテリカバー２１の開度が３０°に牽制される。
【００６２】
前記牽制手段２６は、ストッパ２１の下端部をヒンジ２０と反対側から受止める牽制面２９を備えていればよいが、図３の実施例に示すように牽制溝２７を備えるものであってもよい。
【００６３】
バッテリカバー１２を閉じる時は、バッテリカバー１２を片手で一旦３０°よりも大きく開き、もう一方の手でストッパ２１をその下端部が牽制手段２６に乗り上げる位置以上に支店軸１１側に回転させてから、又は、ストッパ２１を受け面２４に対して直角を越える角度以上に支点軸１１と反対側に回転させてからバッテリカバー２１を３０°以下に閉じると、バッテリカバー１２及び運転座席１５の重量によりバッテリカバー１２が閉じられる。
【００６４】
この実施例のその他の構成、作用及び効果は前記各実施例のそれらと同様である。
【００６５】
以上に説明した各実施例では、ストッパ２１の一端部がバッテリカバー２１に回転可能に支持され、受け面２４や牽制手段２６がバッテリケース９に設けられているが、この逆にストッパ２１の一端部をバッテリケース９に回転可能に支持させ、受け面２４や牽制手段２６をバッテリカバー２１に設けることも可能である。
【００６６】
【発明の効果】
以上に説明したように、本発明のバッテリフォークリフトは、バッテリを収納するバッテリケースと、該バッテリケースの片側に配置した支点軸を中心に、バッテリケースの上面を覆う閉位置と、この閉位置から立ち上げた全開位置とにわたって開閉されるバッテリカバーとを備えるバッテリフォークリフトにおいて、一端部が前記バッテリケースとバッテリカバーとの一方に回転可能に支持されたストッパと、前記バッテリケースとバッテリカバーとの他方に設けられ、前記ストッパの他端部を受止める受け面と、前記ストッパを該ストッパの他端が前記受け面に対して所定の角度で当接する位置に付勢する付勢手段とを備えることを特徴とするので、バッテリカバーを半開位置以上に開いて半開位置に戻すと、ストッパによりバッテリカバーを半開位置に保持することができるという作用を得ることができる。
【００６７】
そして、この作用により、バッテリカバーを全開することなく、半開にして日常の保守作業や点検作業を手軽にできるようになるという効果を得ることができる。
【００６８】
又、この作用により、バッテリカバーを半開以上に開いた状態でバッテリカバーから手が滑り離れても、バッテリカバーが半開状態で止められるので、バッテリカバーとバッテリケースなどとの間に手を挟まれることがなく、安全性を高めることができるという効果も得ることができる。
【００６９】
更に、本発明によれば、ストッパの長さ及び／又は取付け位置によってバッテリカバーの大きさなどに対応して半開位置を自由に設定することができ、設計の自由度が高いという効果も得ることができる。
【図面の簡単な説明】
【図１】本発明の側面図である。
【図２】本発明の側面図である。
【図３】本発明の側面図である。
【図４】本発明の側面図である。
【図５】本発明の側面図である。
【図６】従来例の側面図である。
【符号の説明】
９　バッテリケース
１１　支点軸
１２　バッテリカバー
２１　ストッパ
２４　受け面
２３　付勢手段
２６　牽制手段
【図１】
2004043125.tif 000003
【図２】
2004043125.tif 000004
【図３】
2004043125.tif 000005
【図４】
2004043125.tif 000006
【図５】
2004043125.tif 000007
【図６】
2004043125.tif 000008